(57)【要約】【課題】  コンセントで利用される機器に対してその運転（利用）状態や、コンセントの１次側電源の停電などを予め登録しておいた連絡先にメールを使って通知することのできる監視機能付き集合コンセント装置を提供する。【解決手段】  複数のコンセント１を持ったＢＯＸの形状をし、１次側検出手段２にて１次側電源７の電圧、電流を監視することと、２次側検出手段にて各コンセント１の電流を監視すること、またこれらの情報をもとに伝えたい情報を生成する情報生成部４と、インターネット８を介してメールを配信するメール送信部５と、携帯電話９など受信したメールに書かれたＵＲＬからＷｅｂページをアクセスできるＷｅｂサーバ９を備えた監視機能付き集合コンセント装置。【選択図】図１
2007267394.tif 000002
【特許請求の範囲】
【請求項１】
複数個のコンセントと、コンセントの１次側電源の電圧と電流を検出する１次側検出手段と、複数個のコンセントが夫々の機器に供給する２次側の電流を検出する２次側検出手段と、検出した内容を予め登録した通知する為の条件設定と比較させ通知するかどうかを判定する処理機能を有する情報処理部と、予め登録しておいた連絡先に通知する為にインターネット上にメールを送出する為のメール送信部と、外部から状態を参照するためのＷｅｂページを立ち上げる為のＷｅｂサーバ部とで構成したことを特徴とする監視機能付き集合コンセント装置。
【請求項２】
前記メール送信部より送信されたメールには本装置に内蔵された前記ＷｅｂサーバのＵＲＬを記載しており、このＵＲＬにアクセスすることで、Ｗｅｂサーバに用意したＷｅｂページを開き接続されている機器の状態を監視することができるものとした請求項１に記載の監視機能付き集合コンセント装置。
【発明の詳細な説明】
【技術分野】
【０００１】
本発明は電源の監視に係わるものであり、特にコンセントで利用される機器に対してその運転（利用）状態や、コンセントの１次側電源の停電などを予め登録しておいた連絡先にメールを使って通知することのできる監視機能付き集合コンセント装置に関するものである。
【背景技術】
【０００２】
コンセントに接続し電源を供給されることで動作する機器は一般家庭から事務所、工場など様々な場所、分野で広く使用されているが、機器への供給電源が停止していることを認識する機器は数多くあるが、機器自体の電源が切れていることを検出し、通知する事はできていない。また、異常を通知するものはあっても正常であることとその他の条件を複合して通知するものはない。例えばＵＰＳののように停電から機器を保護する為の装置に付属し、停電状態などいくつかの情報をメールなどの通信手段を使って通知するものは存在し、例えば特開２００３−１６２４６０号公報に示すごとく、複数のＵＰＳと、このＵＰＳの動作状態を通信路を介して取得可能であるとともにインターネットへの接続が可能な監視センタと、この監視センタとの問でインタネットを利用した情報授受が可能な携帯電話機とによって無停電電源装置の動作状態監視システムを構成し、携帯電話機からインタネットを介して監視センタにＵＰＳの状態の問い合わせを行うと、監視センタはＵＰＳの状態を取得してインタネット上で携帯電話機で閲覧可能とし、異常発生時に監視手段から情報処理端末に対し電子メールによって通知するものがある。
【０００３】
また、ＵＰＳではなくても、例えば自分自身をバックアップできる電源を有し、停電を検出し、その情報をメール等の通信手段を使って通知するものもあり、例えば特開２００２−７７２８９号公報に示すごとく、通信回線に接続され、常用電源であるＡＣ電源と、バックアップ用の電源とを有し、停電発生の通知先を予め停電通知先記憶手段に記憶し、停電検出手段は停電を検知すると、停電通知先記憶手段に記憶された通知先に停電発生のメッセージや電子メールを送信するものとし、ＵＰＳ不要とした通信制御装置がある。
【発明の開示】
【発明が解決しようとする課題】
【０００４】
これらの手段はいずれも停電したことを通知すること、や機器の異常を通知することを目的としているものであり、特開２００３−１６２４６０号公報に示すものは、複数のＵＰＳとを備え、このＵＰＳの動作状態を電子メールによって通知し、特開２００２−７７２８９号公報に示すものは、ＵＰＳを備えなくても、ＡＣ電源とバックアップ用の電源とを有し、予め記憶した通知先に停電発生のメッセージや電子メールを送信するが、例えばコンセントで利用される機器自体の運転（利用）状態や、コンセントの１次側電源の停電などを予め登録しておいた連絡先にメールを使って通知することのできるものはない。
【課題を解決するための手段】
【０００５】
上記の課題を解決するために、本発明は複数個のコンセントと、コンセントの１次側電源の電圧と電流を検出する１次側検出手段と、複数個のコンセントが夫々の機器に供給する２次側の電流を検出する２次側検出手段と、検出した内容を予め登録した通知する為の条件設定と比較させ通知するかどうかを判定する処理機能を有する情報処理部と、予め登録しておいた連絡先に通知する為にインターネット上にメールを送出する為のメール送信部と、外部から状態を参照するためのＷｅｂページを立ち上げる為のＷｅｂサーバ部とで監視機能付き集合コンセント装置を構成した。
【０００６】
また、前記情報処理部はコンセントの１次側電源電圧を監視し、１次側電源の異常（停電等）を判定するものとすると、メールを利用して予め登録しておいた携帯電話などに異常の発生を通知することができ、または、情報処理部はコンセントの１次側電流を監視し、コンセントに接続されている機器のトータル消費電流が低下していることを判定するものとすると、メールを利用して予め登録しておいた携帯電話などに状態を通知することができるでき、または、情報処理部はコンセントに接続されている個別機器の消費電流を監視し、機器の消費電流が低下していることを判定するものととすると、メールを利用して予め登録しておいた携帯電話などに状態を通知することができる。
【０００７】
または、前記情報処理部はコンセントの１次側電源電圧を監視し、１次側電源が無い状態から復電したことを判定するものとすると、メールを利用して予め登録しておいた携帯電話などに通知することができ、または、情報処理部はコンセントの１次側電流を監視し、コンセントに接続されている機器のトータル消費電流が無い状態から消費している状態になったことを判定するものとすると、メールを利用して予め登録しておいた携帯電話などに状態を通知することができ、または、情報処理部はコンセントに接続されている個別機器の消費電流を監視し、機器の消費電流が無い状態から消費している状態になったことを判定し、メールを利用して予め登録しておいた携帯電話などに状態を通知することができる。
【０００８】
また、情報処理部は各検出器の検出する信号の組み合わせを、例えば侵入者検出用のいくつかの負荷を検出するコンセントを予め設定しておき、検出器により検出した信号の組み合わせで通知すべき内容を判断するものとすると、メールを利用して予め登録しておいた携帯電話などに状態を通知することができる。
【０００９】
また、前記メール送信部より送信されたメールには本装置に内臓された前記ＷｂサーバのＵＲＬを記載しているものとすると、このＵＲＬにアクセスすることで、Ｗｅｂサーバに用意したＷｅｂページを開き接続されている機器の状態を監視することができる。
【発明の効果】
【００１０】
本発明は、以上の構成としたので、停電したことの通知や異常の通知だけではなく、状況の変化を捉える手段として電源の状態監視を実施するものであり、機器の瞬間的な状態だけではなく、連続性とパターンの状態を捉えることで機器の状態だけでなく、その空間の状態の変化を予測することを可能にする監視機能付き集合コンセント装置が提供出来る。
【００１１】
また、これを利用することで、通常の生活の中で使用される電気器具の使用状態が通常でなくなったことの変化を通知したり、留守中にＯＮするはずの無い電気器具がＯＮしたことを通知したり、常時運転していなければいけないものが停止したことを通知したりすることで、機器の異常や電源の異常だけではなく、その空間における生活の変化、侵入者検出までを監視することを実現するものとした監視機能付き集合コンセント装置が提供出来る。
【発明を実施するための最良の形態】
【００１２】
以下本発明の一実施例を図により説明する。図１は本発明の一実施形態に係るブロック図である。
【実施例】
【００１３】
図１において、本発明の監視機能付き集合コンセントは、複数個のコンセント１(例えば１−１、１−２、１−３、１−ｎ)と、コンセント１と接続されており１次側電源７の電圧検出や電流検出を行う１次側検出手段２（電圧検出手段２−１、電流検出手段２−２)と、各コンセント１に接続されており個別の負荷の電流検出を行う２次側検出手段３（例えば３−１、３−２、３−３、３−ｎ）と、１次側検出手段２の検出と２次側検出手段３の検出とを受けて１次側の異常の有無、例えば停電等を、２次側の個別電流より個別負荷の状況等検出した内容を、予め登録した通知する為の条件設定と比較させ判定し、これらの判定から伝えたい情報を生成する通知するかどうかを判定する処理機能を有する情報処理部４と、インターネット８を介して予め登録しておいた連絡先に通知するためにメールを配信するメール配信部５と、携帯電話９等から受信したメールに書かれたホームページアドレスＵＲＳからＷｅｂページをアクセスできるＷｅｂサーバ部６とを備えている。
【００１４】
前記情報処理部４は電圧検出手段２−１が検出するコンセント１の１次側電源電圧を監視して１次側電源７の異常（停電等）を判定し、または電流検出段２−２が検出するコンセント１の１次側電流を監視してコンセント１に接続されている機器のトータル消費電流が低下していることを判定し、または２次側出手段３−１〜３−ｎが検出するコンセント１に接続されている個別機器の消費電流を監視して機器の消費電流が低下していることを判定し、メール配信部５にてメールを利用して予め登録しておいた携帯電話９などに１次側電源７の異常の発生、接続されている機器トータル又は個別の状態を通知することができる。
【００１５】
また、前記情報処理部４は電圧検出手段２−１が検出するコンセント１の１次側電源電圧を監視して１次側電源７が無い状態から復電したことを判定し、また、電流検出手段２−２が検出するコンセント１の１次側電流を監視してコンセント１に接続されている機器のトータル消費電流が無い状態から消費してい状態になったことを判定し、また、２次側検出手段３−１〜３−ｎが検出するコンセント１に接続されている個別機器の消費電流を監視して機器の消費電流がない状態から消費している状態になったことを判定し、また、メール配信部５にてメールを利用して予め登録しておいた携帯電話９などに１次側電源の異常の発生、接続されている機器トータル又は個別の状態を通知することができる。
【００１６】
また、前記情報処理部４は各検出器の検出する信号の組み合わせを、例えば侵入者検出用のいくつかの負荷を検出するコンセント１を予め設定しておき、検出器により検出した信号の組み合わせで通知すべき内容を判断するものとし、メール配信部５にてメールを利用して予め登録しておいた携帯電話９などに状態を通知することができる。
【００１７】
また、前記メール送信部５より送信されたメールには本装置に内臓された前記ｗｅｂサーバ６のＵＲＬを記載しており、このＵＲＬにアクセスすることで、Ｗｅｂサーバ６に用意したＷｅｂページを開き接続されている機器の状態を監視することができるものとした。
【００１８】
なお、上記実施の形態では、２次側検出手段３は電流検出を行うものとし、インターネット８を介する連絡先を携帯電話としたが、本発明はこれらに限定されず、２次側検出するものとしては、消費電力や異常信号、不在中などセット信号、ドアの開閉などの状態信号もふくまれる。また、連絡先も携帯電話に限らず、パソコン等でもよい。
【図面の簡単な説明】
【００１９】
【図１】本発明の一実施例を示すブロック図である。
【符号の説明】
【００２０】
１、１−１、１−２、１−３、１−ｎ  コンセント
２  １次側検出手段
２−１  電圧検出手段
２−２  電流検出手段
３  ２次側検出手段
３−１、３−２、３−３、３−ｎ  電流検出手段
４  情報制御部
５  メール送信部
６  Ｗｅｂサーバ部
７  １次側電源
８  インターネット
９  携帯電話
【図１】
2007267394.tif 000003
【手続補正書】
【提出日】平成19年5月10日(2007.5.10)
【手続補正１】
【補正対象書類名】特許請求の範囲
【補正対象項目名】全文
【補正方法】変更
【補正の内容】
【特許請求の範囲】
【請求項１】
１次側電源から電力の供給を受ける複数個のコンセントを備え、これら複数個のコンセントの各々に接続された電気機器の動作状態及び前記１次側電源の異常の有無に関する情報を、予め登録しておいた連絡先にインターネットを介して通知するようにした状態監視機能付き集合コンセント装置において、
前記１次側電源から前記複数個のコンセントに供給される１次側電圧と１次側電流を検出する１次側検出手段と、
前記複数個のコンセントから前記電気機器の夫々に供給される２次側電流を各々検出する２次側検出手段と、
前記１次側検出手段の検出結果及び前記２次側検出手段の検出結果が入力され、前記１次側検出手段が検出した１次側電圧と１次側電流及び前記２次側検出手段が検出した前記各電気機器に供給される２次側電流の夫々の値を、前記連絡先に通知するための条件として予め登録した夫々の条件設定と比較して通知するかどうかを判定する処理機能を有する情報処理部と、
前記情報処理部の処理に基づく情報を、前記予め登録しておいた連絡先に通知するためにインターネット上にメールを送出するメール送信部とを備え、
前記情報処理部は、前記１次側電圧の監視に基づく電圧の正常、異常、復電の検出結果と、前記１次側電流の監視に基づく電流の正常、低下の検出結果と消費電流が無い状態から消費している状態になったことの検出結果、それに前記２次側電流の監視に基づく前記各電気機器の消費電流の正常、低下の検出結果と消費電流が無い状態から消費している状態になったことの検出結果の夫々の検出結果から、前記１次側電源の異常の有無と前記各電気機器の個別の負荷状態を前記連絡先に通知するための条件として予め登録した夫々の条件設定と比較して判定し、この判定結果から前記連絡先に情報を通知するかどうかを判定するように構成されていることを特徴とする状態監視機能付き集合コンセント装置。
【請求項２】
１次側電源から電力の供給を受ける複数個のコンセントを備え、これら複数個のコンセントの各々に接続された電気機器の動作状態及び前記１次側電源の異常の有無に関する情報を、予め登録しておいた連絡先にインターネットを介して通知するようにした状態監視機能付き集合コンセント装置において、
前記１次側電源から前記複数個のコンセントに供給される１次側電圧と１次側電流を検出する１次側検出手段と、
前記複数個のコンセントから前記電気機器の夫々に供給される２次側電流を各々検出する２次側検出手段と、
前記１次側検出手段の検出結果及び前記２次側検出手段の検出結果が入力され、前記１次側検出手段が検出した１次側電圧と１次側電流及び前記２次側検出手段が検出した前記各電気機器に供給される２次側電流の夫々の値を、前記連絡先に通知するための条件として予め登録した夫々の条件設定と比較して通知するかどうかを判定する処理機能を有する情報処理部と、
前記情報処理部の処理に基づく情報及びＷｅｂサーバのＵＲＬを、前記予め登録しておいた連絡先に通知するためにインターネット上にメールを送出するメール送信部と、
前記ＷｅｂサーバのＵＲＬにアクセスすることでＷｅｂページを閲覧可能になしたＷｅｂサーバ部とを備え、
前記情報処理部は、前記１次側電圧の監視に基づく電圧の正常、異常、復電の検出結果と、前記１次側電流の監視に基づく電流の正常、低下の検出結果と消費電流が無い状態から消費している状態になったことの検出結果、それに前記２次側電流の監視に基づく前記各電気機器の消費電流の正常、低下の検出結果と消費電流が無い状態から消費している状態になったことの検出結果の夫々の検出結果から、前記１次側電源の異常の有無と前記各電気機器の個別の負荷状態を前記連絡先に通知するための条件として予め登録した夫々の条件設定と比較して判定し、この判定結果から前記連絡先に情報を通知するかどうかを判定するように構成され、
前記Ｗｅｂサーバ部は、そのＵＲＬにアクセスすることでＷｅｂページを閲覧可能となし、前記１次側電源の異常の有無と前記複数個のコンセントに接続された電気機器の個別の負荷状態が閲覧できるように構成されていることを特徴とする状態監視機能付き集合コンセント装置。
【手続補正２】
【補正対象書類名】明細書
【補正対象項目名】０００２
【補正方法】変更
【補正の内容】
【０００２】
コンセントに接続し電源が供給されることで動作する機器は一般家庭から事務所、工場など様々な場所、分野で広く使用されている。そして、このとき機器への供給電源が停止していることを認識する機器は数多くあるが、機器自体の電源が切れていることを検出し、通知することはできていない。また、異常を通知するものはあっても、正常であることと、その他の条件を複合して通知するものはない。例えばＵＰＳ(Uninterruptible Power Supply：無停電電源装置、以下、単にＵＰＳという。)のように停電から機器を保護するための装置に付属し、停電状態などいくつかの情報をメールなどの通信手段を使って通知するものは存在し、例えば特開２００３−１６２４６０号公報に示すごとく、複数のＵＰＳと、このＵＰＳの動作状態を通信路を介して取得可能であると共にインターネットへの接続が可能な監視センタと、この監視センタとの間でインターネットを利用した情報授受が可能な携帯電話機とによってＵＰＳの動作状態監視システムを構成し、携帯電動機からインターネットを介して監視センタにＵＰＳの状態の問い合わせを行うと、監視センタはＵＰＳの状態を取得してインターネット上で携帯電話機で閲覧可能とし、異常発生時に監視センタから情報処理端末に対し電子メールによって通知するものがある。
【手続補正３】
【補正対象書類名】明細書
【補正対象項目名】０００３
【補正方法】変更
【補正の内容】
【０００３】
また、ＵＰＳではなくても、例えば自分自身をバックアップできる電源を有し、停電を検出し、その情報をメール等の通信手段を使って通知するものもあり、例えば特開２００２−７７２８９号公報に示すごとく、通信回線に接続され、常用電源であるＡＣ電源と、バックアップ用の電源とを有し、停電発生の通知先を予め停電通知先記憶手段に記憶し、停電検出手段は停電を検知すると、停電通知先記憶手段に記憶された通知先に停電発生のメッセージや電子メールを送信するものとし、ＵＰＳを不要とした通信制御装置がある。
【手続補正４】
【補正対象書類名】明細書
【補正対象項目名】０００４
【補正方法】変更
【補正の内容】
【０００４】
これらの手段はいずれも停電したことを通知することや、機器の異常を通知することを目的としているものであり、特開２００３−１６２４６０号公報に示すものは、複数のＵＰＳを備え、このＵＰＳの動作状態を電子メールによって通知するものであり、特開２００２−７７２８９号公報に示すものは、ＵＰＳを備えなくても、ＡＣ電源とパックアップ用の電源とを有し、予め記憶した通知先に停電発生のメッセージや電子メールを送信するが、例えばコンセントで利用される機器自体の運転(利用)状態や、コンセントの１次側電源の停電などを予め登録しておいた連絡先にメールを使って通知することのできるものはない。
【手続補正５】
【補正対象書類名】明細書
【補正対象項目名】０００５
【補正方法】変更
【補正の内容】
【０００５】
上記の課題を解決するために、本発明は、１次側電源から電力の供給を受ける複数個のコンセントを備え、これら複数個のコンセントの各々に接続された電気機器の動作状態及び前記１次側電源の異常の有無に関する情報を、予め登録しておいた連絡先にインターネットを介して通知するようにした状態監視機能付き集合コンセント装置において、前記１次側電源から前記複数個のコンセントに供給される１次側電圧と１次側電流を検出する１次側検出手段と、前記複数個のコンセントから前記電気機器の夫々に供給される２次側電流を各々検出する２次側検出手段と、前記１次側検出手段の検出結果及び前記２次側検出手段の検出結果が入力され、前記１次側検出手段が検出した１次側電圧と１次側電流及び前記２次側検出手段が検出した前記各電気機器に供給される２次側電流の夫々の値を、前記連絡先に通知するための条件として予め登録した夫々の条件設定と比較して通知するかどうかを判定する処理機能を有する情報処理部と、前記情報処理部の処理に基づく情報を、前記予め登録しておいた連絡先に通知するためにインターネット上にメールを送出するメール送信部とを備え、前記情報処理部は、前記１次側電圧の監視に基づく電圧の正常、異常、復電の検出結果と、前記１次側電流の監視に基づく電流の正常、低下の検出結果と消費電流が無い状態から消費している状態になったことの検出結果、それに前記２次側電流の監視に基づく前記各電気機器の消費電流の正常、低下の検出結果と消費電流が無い状態から消費している状態になったことの検出結果の夫々の検出結果から、前記１次側電源の異常の有無と前記各電気機器の個別の負荷状態を前記連絡先に通知するための条件として予め登録した夫々の条件設定と比較して判定し、この判定結果から前記連絡先に情報を通知するかどうかを判定するように構成されていることを特徴とする。
【手続補正６】
【補正対象書類名】明細書
【補正対象項目名】０００６
【補正方法】変更
【補正の内容】
【０００６】
また、前記情報処理部はコンセントの１次側電源電圧を監視し、１次側電源の異常（停電等）を判定するものとすると、メールを利用して予め登録しておいた携帯電話などに異常の発生を通知することができ、または、情報処理部はコンセントの１次側電流を監視し、コンセントに接続されている機器のトータル消費電流が低下していることを判定するものとすると、メールを利用して予め登録しておいた携帯電話などに状態を通知することができ、または、情報処理部はコンセントに接続されている個別機器の消費電流を監視し、機器の消費電流が低下していることを判定するものとすると、メールを利用して予め登録しておいた携帯電話などに状態を通知することができる。
【手続補正７】
【補正対象書類名】明細書
【補正対象項目名】０００７
【補正方法】変更
【補正の内容】
【０００７】
更に、上記の課題を解決するために、本発明は、１次側電源から電力の供給を受ける複数個のコンセントを備え、これら複数個のコンセントの各々に接続された電気機器の動作状態及び前記１次側電源の異常の有無に関する情報を、予め登録しておいた連絡先にインターネットを介して通知するようにした状態監視機能付き集合コンセント装置において、前記１次側電源から前記複数個のコンセントに供給される１次側電圧と１次側電流を検出する１次側検出手段と、前記複数個のコンセントから前記電気機器の夫々に供給される２次側電流を各々検出する２次側検出手段と、前記１次側検出手段の検出結果及び前記２次側検出手段の検出結果が入力され、前記１次側検出手段が検出した１次側電圧と１次側電流及び前記２次側検出手段が検出した前記各電気機器に供給される２次側電流の夫々の値を、前記連絡先に通知するための条件として予め登録した夫々の条件設定と比較して通知するかどうかを判定する処理機能を有する情報処理部と、前記情報処理部の処理に基づく情報及びＷｅｂサーバのＵＲＬを、前記予め登録しておいた連絡先に通知するためにインターネット上にメールを送出するメール送信部と、前記ＷｅｂサーバのＵＲＬにアクセスすることでＷｅｂページを閲覧可能になしたＷｅｂサーバ部とを備え、前記情報処理部は、前記１次側電圧の監視に基づく電圧の正常、異常、復電の検出結果と、前記１次側電流の監視に基づく電流の正常、低下の検出結果と消費電流が無い状態から消費している状態になったことの検出結果、それに前記２次側電流の監視に基づく前記各電気機器の消費電流の正常、低下の検出結果と消費電流が無い状態から消費している状態になったことの検出結果の夫々の検出結果から、前記１次側電源の異常の有無と前記各電気機器の個別の負荷状態を前記連絡先に通知するための条件として予め登録した夫々の条件設定と比較して判定し、この判定結果から前記連絡先に情報を通知するかどうかを判定するように構成され、前記Ｗｅｂサーバ部は、そのＵＲＬにアクセスすることでＷｅｂページを閲覧可能となし、前記１次側電源の異常の有無と前記複数個のコンセントに接続された電気機器の個別の負荷状態が閲覧できるように構成されていることを特徴とする。
【手続補正８】
【補正対象書類名】明細書
【補正対象項目名】０００８
【補正方法】変更
【補正の内容】
【０００８】
このとき、情報処理部は、各検出器の検出する信号の組み合わせを、例えば侵入者検出用のいくつかの負荷を検出するコンセントを予め設定しておき、検出器により検出した信号の組み合わせで通知すべき内容を判断するものとすると、メールを利用して予め登録しておいた携帯電話などに状態を通知することができる。
【手続補正９】
【補正対象書類名】明細書
【補正対象項目名】０００９
【補正方法】変更
【補正の内容】
【０００９】
また、前記メール送信部より送信されたメールには本装置に内蔵された前記ＷｅｂサーバのＵＲＬを記載するものとすると、このＵＲＬにアクセスすることで、Ｗｅｂサーバに用意したＷｅｂサーバを開き、接続されている機器の状態を監視することができる。
【手続補正１０】
【補正対象書類名】明細書
【補正対象項目名】００１３
【補正方法】変更
【補正の内容】
【００１３】
図１において、本発明の監視機能付き集合コンセントは、複数個のコンセント１(例えば１−１、１−２、１−３、１−ｎ)と、コンセント１と接続されており１次側電源７の電圧検出や電流検出を行う１次側検出手段２(電圧検出手段２−１、電流検出手段２−２)と、各コンセント１に接続されており個別の負荷の電流検出を行う２次側検出手段３(例えば３−１、３−２、３−３、３−ｎ)と、１次側検出手段２の検出と２次側検出手段３の検出とを受けて１次側の異常の有無、例えば停電等を、２次側の個別電流より個別負荷の状況等検出した内容を、予め登録した通知する為の条件設定と比較させ判定し、これらの判定から伝えたい情報を生成する通知するかどうかを判定する処理機能を有する情報処理部４と、インターネット８を介して予め登録しておいた連絡先に通知するためにメールを配信するメール送信部５と、携帯電話９等から受信したメールに書かれたホームページアドレスＵＲＬからＷｅｂページをアクセスできるＷｅｂサーバ部６とを備えている。
【手続補正１１】
【補正対象書類名】明細書
【補正対象項目名】００１４
【補正方法】変更
【補正の内容】
【００１４】
前記情報処理部４は電圧検出手段２−１が検出するコンセント１の１次側電源電圧を監視して１次側電源７の異常（停電等）を判定し、または電流検出手段２−２が検出するコンセント１の１次側電流を監視してコンセント１に接続されている機器のトータル消費電流が低下していることを判定し、または２次側検出手段３−１〜３−ｎが検出するコンセント１に接続されている個別機器の消費電流を監視して機器の消費電流が低下していることを判定し、メール送信部５にてメールを利用して予め登録しておいた携帯電話９などに１次側電源７の異常の発生、接続されている機器トータル又は個別の状態を通知することができる。
【手続補正１２】
【補正対象書類名】明細書
【補正対象項目名】００１５
【補正方法】変更
【補正の内容】
【００１５】
また、前記情報処理部４は電圧検出手段２−１が検出するコンセント１の１次側電源電圧を監視して１次側電源７が無い状態から復電したことを判定し、また、電流検出手段２−２が検出するコンセント１の１次側電流を監視してコンセント１に接続されている機器のトータル消費電流が無い状態から消費している状態になったことを判定し、また、２次側検出手段３−１〜３−ｎが検出するコンセント１に接続されている個別機器の消費電流を監視して機器の消費電流が無い状態から消費している状態になったことを判定し、また、メール送信部５にてメールを利用して予め登録しておいた携帯電話９などに１次側電源の異常の発生、接続されている機器トータル又は個別の状態を通知することができる。
【手続補正１３】
【補正対象書類名】明細書
【補正対象項目名】００１６
【補正方法】変更
【補正の内容】
【００１６】
また、前記情報処理部４は、コンセント１の中で、例えば電流値により侵入者の検出が可能な負荷が接続されているいくつかのコンセントを予め設定しておき、これらのコンセントの検出器が検出する信号の組み合わせにより通知すべき内容を判断するものとし、メール送信部５にてメールを利用して予め登録しておいた携帯電話９などに状態を通知することができる。
【手続補正１４】
【補正対象書類名】明細書
【補正対象項目名】００１７
【補正方法】変更
【補正の内容】
【００１７】
また、前記メール送信部５より送信されたメールには本装置に内蔵された前記ｗｅｂサーバ６のＵＲＬを記載しており、このＵＲＬにアクセスすることで、Ｗｅｂサーバ６に用意したＷｅｂページを開き接続されている機器の状態を監視することができるものとした。